(57)【要約】    【課題】発泡樹脂製でなる断熱材を用いた場合でも断熱材に変形を生じることなく、天井裏のいかなる場所でも断熱材を容易に施工することができる天井裏用断熱パネルと建物を提供する。    【解決手段】合成樹脂製発泡材でなる断熱材７に、点検窓が形成可能な間隔を有して、木材、プラスチック、金属のいずれかあるいはこれらの２以上の複合材でなる複数本の補強材９を埋め込む。断熱材７の周辺部の小屋束に対応する位置に、切除部を形成するためのマーク１２ａ〜１２ｃを設ける。断熱材７両端部に、垂木を避ける切除部を形成するためのマーク１３ａ、１３ｂの形成部分に重複させて、小屋束を避ける切除部を形成するためのマーク１２ａ、１２ｂを設ける。【選択図】図２
2007085105.tif 000002
【特許請求の範囲】
【請求項１】
小屋梁上あるいは小屋梁と軒桁上に施工される板状の合成樹脂製発泡材でなる断熱材に、木材、プラスチック、金属のいずれかあるいはこれらの２以上の複合材でなる複数本の補強材を取付け、少なくとも隣接する２本の補強材の間隔を、点検窓の幅以上に設定した
ことを特徴とする天井裏用断熱パネル。
【請求項２】
請求項１に記載の天井裏用断熱パネルにおいて、
前記断熱材は、前記補強材を埋め込んだ発泡樹脂成形材でなる第一層と、この第一層よりわずかに広くかつ薄く形成され、第一層に固着された発泡樹脂成形材でなる第二層とからなる
ことを特徴とする天井裏用断熱パネル。
【請求項３】
請求項１または２に記載の天井裏用断熱パネルにおいて、
前記断熱材の周辺部の小屋束に対応する位置に、小屋束を嵌める切除部を形成するためのマークを設け、
断熱材の少なくとも一端部に、小屋束を嵌める切除部を形成するためのマークの形成部分に重複させて、垂木を嵌める切除部を形成するためのマークを設けた
ことを特徴とする天井裏用断熱パネル。
【請求項４】
請求項３に記載の天井裏用断熱パネルにおいて、
前記マークが凹状溝でなる
ことを特徴とする天井裏用断熱パネル。
【請求項５】
請求項４に記載の天井裏用断熱パネルにおいて、
前記凹状溝の少なくとも開口部が、指の挿入可能なサイズに形成されている
ことを特徴とする天井裏用断熱パネル。
【請求項６】
請求項４または５に記載の天井裏用断熱パネルにおいて、
前記垂木を嵌める切除部を形成するためのマークが、それぞれＵ字形またはL字形をなす深さの異なる複数の凹状溝が連続して形成されたものからなる
ことを特徴とする天井裏用断熱パネル。
【請求項７】
請求項１から６までのいずれかに記載の天井裏用断熱パネルを有する
ことを特徴とする建物。
【発明の詳細な説明】
【技術分野】
【０００１】
本発明は、建物の天井裏に組み込まれる発泡樹脂製断熱材からなる断熱パネルとその断熱パネルを用いた建物に関する。
【背景技術】
【０００２】
小屋梁上あるいは小屋梁と軒桁上、すなわち天井裏に施工される従来の断熱材には、繊維を合成樹脂製シートで包んだものが用いられてきた。このような天井裏に発泡樹脂製断熱材でなる断熱材があまり用いられない理由は、垂木等が板状の施工の邪魔をするためである。この垂木の干渉の問題を解決して板状断熱材の施工を可能にしたものとして、垂木に対応する部分に切り込みを入れるためのマークを付けたものがある（特許文献１参照。）。
【０００３】
【特許文献１】特開平１１−１２４９２２号公報
【発明の開示】
【発明が解決しようとする課題】
【０００４】
前述した特許文献１に記載の板状の断熱材を用いたものにおいては、断熱材が経年経過して自重により中央部が垂れ、小屋梁等と断熱材との間に隙間が生じて断熱性を低下させるという問題点がある。また、この断熱材は小屋束との干渉については考慮していないので、垂木の干渉を生じない小屋束で囲まれた部分では特徴が活かせず、新たにマークを付してその部分を切除する必要があるという問題点がある。
【０００５】
本発明は、上記事情に鑑みてなされたもので、発泡樹脂製でなる断熱材を用いた場合でも断熱材に変形を生じることなく、長期にわたり断熱性を維持することができる天井裏用断熱パネルと建物を提供することを目的とする。また、本発明の他の目的は、天井裏のいかなる場所でも施工が容易となる天井裏用断熱パネルと建物を提供することにある。
【課題を解決するための手段】
【０００６】
請求項１の天井裏用断熱パネルは、小屋梁上あるいは小屋梁と軒桁上に施工される板状の合成樹脂製発泡材でなる断熱材に、木材、プラスチック、金属のいずれかあるいはこれらの２以上の複合材でなる複数本の補強材を取付け、少なくとも隣接する２本の補強材の間隔を、点検窓の幅以上に設定した
ことを特徴とする。
【０００７】
請求項２の天井裏用断熱パネルは、請求項１において、前記断熱材は、前記補強材を埋め込んだ発泡樹脂成形材でなる第一層と、この第一層よりわずかに広くかつ薄く形成され、第一層に固着された発泡樹脂成形材でなる第二層とからなる
ことを特徴とする。
【０００８】
請求項３の天井裏用断熱パネルは、請求項１または２において、
前記断熱材の周辺部の小屋束に対応する位置に、小屋束を嵌める切除部を形成するためのマークを設け、
断熱材の少なくとも一端部に、小屋束を嵌める切除部を形成するためのマークの形成部分に重複させて、垂木を嵌める切除部を形成するためのマークを設けた
ことを特徴とする。
【０００９】
請求項４の天井裏用断熱パネルは、請求項３において、
前記マークが凹状溝でなる
ことを特徴とする。
【００１０】
請求項５の天井裏用断熱パネルは、請求項４において、
前記凹状溝の少なくとも開口部が、指の挿入可能なサイズに形成されている
ことを特徴とする。
【００１１】
請求項６の天井裏用断熱パネルは、請求項４または５において、
前記垂木を嵌める切除部を形成するためのマークが、それぞれＵ字形またはL字形をなす深さの異なる複数の凹状溝が連続して形成されたものからなる
ことを特徴とする。
【００１２】
請求項７の建物は、請求項１から６までのいずれかに記載の天井裏用断熱パネルを有する
ことを特徴とする。
【発明の効果】
【００１３】
請求項１の発明においては、発泡樹脂製でなる断熱材に、補強材を取付けて断熱パネルを構成したので、補強材により断熱材が支持され、断熱材の垂れ下がりが防止され、断熱材に変形が生じることなく、長期にわたり断熱性を維持することが可能となる。また、少なくとも2本の補強材の間隔が、点検窓の幅以上であるので、補強材が、点検窓を設けるための開口部の形成の妨げになることはない。
【００１４】
請求項２の発明においては、前記断熱材は、前記補強材を埋め込んだ発泡樹脂成形材でなる第一層と、この第一層よりわずかに広くかつ薄く形成され、第一層に固着された発泡樹脂成形材でなる第二層とからなるので、断熱パネルを施工する場合、薄く変形しやすい第二層どうしが圧接して断熱パネルを並べることができ、施工が容易になると共に、断熱パネルの間の隙間の発生を防止することができ、断熱性が向上する。
【００１５】
請求項３の発明においては、前記断熱材の周辺部に、小屋束を嵌める切除部を形成するためのマークを設けたので、小屋束により干渉されるマークを付した部分を切除することにより、小屋束の部分にこの切除部分を嵌めて施工することができる。また、小屋束用の凹部の形成部分に重複させて、垂木を嵌める切除部を形成するためのマークを設けたので、垂木が干渉する施工箇所と小屋束が干渉する施工箇所にこの断熱パネルが兼用できる。
【００１６】
請求項４の発明においては、前記マークが凹状溝でなるため、凹状溝に沿ってナイフ等で切除することにより、垂木や小屋束の形状に容易に切除することができる。
【００１７】
請求項５の発明においては、前記凹状溝の少なくとも開口部が、指の挿入可能なサイズに形成されているので、指を凹状溝に差し込んで凹状溝で囲まれた部分を除去することによって、ナイフ等の工具を使用することなく、垂木や小屋束に対応する切除部を容易に形成することができる。
【００１８】
請求項６の発明においては、前記垂木に対応するマーク形成部分が、それぞれＵ字形またはL字形をなす深さの異なる複数の凹状溝が連続して形成されたものからなるため、垂木が干渉しない箇所においては、垂木に対応する箇所は切除されずにそのまま残るため、最初から垂木の傾斜に沿った傾斜した凹部を設けておく場合に比較し、ある程度の強度を保ったまま、施工することができる。
【００１９】
請求項７の発明においては、前記請求項の断熱パネルを有するため、前記それぞれの効果を得ることができる。
【発明を実施するための最良の形態】
【００２０】
図１は本発明による断熱パネルの一実施の形態の取付け例を示す斜視図である。図１において、１は柱、２は柱１上に施工された軒桁、３は小屋梁、４は小屋梁３上に施工された小屋束、５は母屋、６は軒桁２や母屋５により支持された垂木である。７は本発明により施工される天井裏用断熱パネルである。
【００２１】
図２は断熱パネル７を示す平面図である。この断熱パネル７は、発泡樹脂製の断熱材７ａでなる。この断熱パネル７は、後述の点検窓２２用の開口部２３（図９、図１０参照）を形成できる間隔Ｗを有して、２本の補強材９を埋設してなる。これらの補強材９は、木材、プラスチック、金属のいずれかあるいはこれらの２以上の複合材を用いて構成される。補強材９の本数は３本以上であってもよいが、少なくとも２本の隣接する補強材９、９の間隔は点検窓２２の幅以上とする。
【００２２】
前記補強材９の長さは、断熱パネル７の長さよりやや短く、補強材９の両端と断熱パネル７との間に微小の幅Δの断熱材の部分を有する。補強材９の両端には、ねじや釘などの固定具を挿入するための孔１０を有する。また、補強材９の長手方向の中央部には、パネルを半分に切断した場合に端部に当たることを考慮して、その小屋梁３に断熱パネル７を固定するための固定具を挿入する２個の孔１１を有する。
【００２３】
断熱パネル７には、その周辺部に、小屋束４を嵌めるための切除部を形成するマークとなる凹状溝１２ａ〜１２ｃと、垂木６を嵌めるための切除部を形成するマークとなる凹状溝１３ａ〜１３ｂとを有する。断熱パネル７のコーナー部の小屋束４対応の凹状溝１２ａの形成領域の幅は、両端部の中央部の凹状溝１２ｂおよび長手方向の中央部の凹状溝１２ｃの形成領域の幅の約半分である。垂木６用のコーナー部の凹状溝１３ａの形成領域の幅は、中央部の凹状溝１３ｂの形成領域の幅の約半分である。
【００２４】
垂木６用の凹状溝１３ａ、１３ｂは、小屋束４用の凹状溝１２ａ、１２ｂと重複する箇所に形成される。
【００２５】
図３（A）、（Ｂ）は前記小屋束４用の凹状溝１２ｂ、１２ｃを示す平面図および断面図である。図３（Ｂ）に示すように、断熱パネル７は、発泡樹脂製断熱材でなり、前記補強材９を埋設する（図７参照）第一層１４と、第一層１４より薄く、第一層１４に接着等により固着される第二層１５とからなる。第二層１５は、第一層１４よりわすかに広く、第二層１５の周囲は、第一層１４の周囲よりわずかに（ａ＝１〜３ｍｍ程度（図３（B）参照））突出するように固着される。前記凹状溝１２ｂ、１２ｃは、全体として柱の半分の形状に切除できるように、１つのＵ字形の溝１６とその両側のＬ字形の溝１７とからなる。これらの溝１６、１７は、第一層１４について貫通構造で形成され、第二層１５については表面から内部に向けて凹部状に形成されている。また、各溝１６、１７には、指を差し込むことができるように、開口部、すなわち表層側に拡大部１６ａ、１７ａを有する。
【００２６】
図４（Ａ）、（Ｂ）は前記コーナー部の凹状溝１２ａ、１３ａの平面図および断面図である。小屋束４用の凹状溝１２ａは、２つのＬ字形溝１７、１８からなり、これらの溝１７、１８は、第一層１４と第二層１５の同位置に形成される。これらの溝１７、１８のうち、第一層１４側のものは、その開口部にそれぞれ指が挿入できる拡大部１７ａ、１８ａを有する。垂木６用の凹状溝１３ａは、第一層１４のみに形成され、深さが異なる（次第に深くなる）複数個のＬ字形の溝１９ａ〜１９ｆを連続させて形成したもので、その延長上に前記凹状溝１２ａの溝１８が存在することにより、溝１８は垂木６用の凹状溝１３ａの一部として利用される。Ｌ字形の溝１９ａ〜１９ｆの開口部にもそれぞれ指が挿入できる拡大部１９ｘが形成される。
【００２７】
図５（Ａ）、（Ｂ）は断熱パネル７の長手方向の端部の中央部の凹状溝１２ｂ、１３ｂの平面図および断面図である。小屋束４用の凹状溝１２ｂは、全体として柱の半分の形状に切除できるように、図３（Ａ）、（Ｂ）の場合と同様に、１つのＵ字形の溝１６とその両側のＬ字形の溝１７とからなる。垂木６用の凹状溝１３ｂは、第一層１４のみに形成され、深さが異なる（次第に深くなる）複数個のＵ字形の溝２０ａ〜２０ｆを連続させて形成したもので、その延長上に前記凹状溝１２ｂの溝１６が存在することにより、溝１６は垂木６用の凹状溝１３ｂの一部として利用される。Ｕ字形の溝２０ａ〜２０ｆの開口部にもそれぞれ指が挿入できる拡大部２０ｘが形成される。
【００２８】
図６は小屋束４により囲まれた小屋梁３上に前記断熱パネル７を設置した状態を示す平面図である。断熱パネル７の取付けにあたり、小屋束４に対応する断熱パネル７の凹状溝１２ａ〜１２ｃの形成部分をナイフ、ドライバあるいは指によって除去することにより、その除去により生じた切除部２７を小屋束４に嵌めて装着し、図７、図８に示すように、補強材９の孔１０よりねじや釘などの固定具２１を挿入して小屋梁３に断熱パネル７を固定する。
【００２９】
このように、本発明の断熱パネル７は、補強材９を設けたので、この補強材９により断熱材７ａが支持され、断熱材７ａの垂れ下がりが防止され、断熱材７ａに変形が生じることなく、長期にわたり断熱性を維持することが可能となる。
【００３０】
また、図９、図１０に示すように、2本の補強材９、９間は点検窓２２が入るだけの間隔が形成されているので、図９、図１０に示すように、断熱パネル７のうちの補強材９、９間の部分を点検窓２２が入るだけの広さに切開（２３）して点検窓２２を取付けることができる。なお、この例では、点検窓２２は発泡樹脂製断熱材２２ａを枠２２ｂに組付けたもので、断熱パネル７の切開した開口部２３に前記断熱材２２ａを嵌め、枠２２ｂに釘やねじ等の固定具２４で補強材９に固定することにより取付けている。なお、枠２２ｂは小屋梁３に固定してもよい。
【００３１】
また、本実施の形態においては、断熱パネル７の第一層１４より、第二層１５をやや広く形成しているので、図１１に示すように、互いに突き合わされる断熱パネル７どうしは第二層１５において圧接した状態で配列される。このため、断熱パネル７を施工する場合、薄く変形しやすい第二層１５どうしを圧接させて断熱パネル７を並べることができ、施工が容易になると共に、断熱パネル７、７の間の隙間の発生を防止することができる。
【００３２】
図１２、図１３は垂木６の存在する軒桁２に断熱パネル７の一端を載せて断熱パネル７を設置する場合について示す側面図と平面図である。この場合は断熱パネル７の端部に形成されている凹状溝１３ａ、１３ｂおよび小屋束４用の凹状溝１２ａ、１２ｂの一部であるＵ字形の溝１６、１８の拡大部１６ａ、１８ａを指で除去することにより、コーナー部に傾斜した切除部２５と中央の傾斜した切除部２６とを形成して垂木６にこれらの切除部２５、２６を嵌め込んで断熱パネル７を小屋梁３上に設置する。断熱パネル７の小屋束４に対応する部分に相当する他の凹状溝１２ａ〜１２ｃは同様に切除して小屋束４に嵌める。
【００３３】
このように、本実施の形態においては、断熱パネル７の周辺部に、小屋束４を避ける切除部を形成するための凹状溝１２ａ〜１２ｃを設けたので、小屋束４により干渉されるこの凹状溝１２ａ〜１２ｃを切除することにより、小屋束４の部分にこの切除部分を嵌めて施工することができる。また、小屋束４用の凹部の形成部分に設ける凹状溝１２ａ、１２ｂに重複させて、垂木６を避ける切除部を形成するための凹状溝１３ａ、１３ｂを設けたので、垂木６が干渉する施工箇所と小屋束４が干渉する施工箇所にこの断熱パネル７を兼用することができる。
【００３４】
また、切除部分を記す領域を示すものは印刷等による単なるマークでもよいが、このマークとして凹状溝１２ａ〜１２ｃ、１３ａ、１３ｂを用いることにより、凹状溝に沿ってナイフ等でこの部分を切除することにより、垂木６や小屋束４の形状に容易に切除することができる。
【００３５】
本実施の形態においては、凹状溝１２ａ〜１２ｃ、１３ａ、１３ｂの少なくとも開口部が、指の挿入可能なサイズに形成されているので、指を凹状溝１２ａ〜１２ｃ、１３ａ、１３ｂに差し込んで凹状溝で囲まれた部分を除去することによって、ナイフ等の工具を使用することなく、垂木や小屋束に対応する部分を容易に形成することができる。
【００３６】
また本実施の形態は、垂木６に対応する部分に形成する凹状溝１３ａ、１３ｂが、それぞれ深さの異なる複数の凹状溝１９ａ〜１９ｆまたは２０ａ〜２０ｆが連続して形成されたものからなるため、垂木６を施工する箇所以外の部分では、凹状溝１９ａ〜１９ｆまたは２０ａ〜２０ｆの形成部分以外の部分は残るので、ある程度の強度と断熱性能を保ったまま、施工することができる。
【００３７】
以上本発明を実施の形態に沿って説明したが、本発明を実施する場合、断熱パネル７は１枚のパネルにより構成する等、断熱材、補強材、マークの構造等、上記実施の形態に限らず、種々の変更、付加が可能である。
【図面の簡単な説明】
【００３８】
【図１】本発明の断熱パネルの一実施の形態の取付け例を示す斜視図である。
【図２】本実施の形態の断熱パネルの平面図である。
【図３】（Ａ）、（Ｂ）はそれぞれ本実施の形態の断熱パネルの長手方向中央部の小屋束用凹状溝を示す平面図、断面図である。
【図４】（Ａ）、（Ｂ）はそれぞれ本実施の形態の断熱パネルのコーナー部の凹状溝を示す平面図、断面図である。
【図５】（Ａ）、（Ｂ）はそれぞれ本実施の形態の断熱パネルの長手方向端部の中央部の凹状溝を示す平面図、断面図である。
【図６】本実施の形態の断熱パネルを小屋束で囲まれた領域に取付けた例を示す平面図である。
【図７】図６のＡ−Ａ断面図である。
【図８】図６のＢ−Ｂ断面図である。
【図９】本実施の形態の断熱パネルに点検窓を設けた状態を示す平面図である。
【図１０】図９のＣ−Ｃ断面図である。
【図１１】本実施の形態の断熱パネルの突合せ部分を示す断面図である。
【図１２】本実施の形態の断熱パネルを垂木のある部分に設置する場合の切除部分と取付け構造を示す側面図である。
【図１３】本実施の形態の断熱パネルを垂木のある部分に設置する場合の切除部分と取付け構造を示す平面図である。
【符号の説明】
【００３９】
１：柱、２：軒桁、３：小屋梁、４：小屋束、５：母屋、６：垂木、７：断熱パネル、７ａ：断熱材、９:補強材、１０、１１：孔、１２ａ〜１２ｃ：小屋束用凹状溝、１３ａ、１３ｂ：垂木用凹状溝、１４：第一層、１５：第二層、１６：Ｕ字形溝、１７、１８：Ｌ字形溝、１６ａ〜１８ａ：拡大部、１９ａ〜１９ｆ：Ｌ字形溝、１９ｘ：拡大部、２０ａ〜２０ｆ：Ｕ字形溝、２０ｘ：拡大部、２１：固定具、２２：点検窓、２３：開口部、２４：固定具、２５、２６、２７：切除部
【図１】
2007085105.tif 000003
【図２】
2007085105.tif 000004
【図３】
2007085105.tif 000005
【図４】
2007085105.tif 000006
【図５】
2007085105.tif 000007
【図６】
2007085105.tif 000008
【図７】
2007085105.tif 000009
【図８】
2007085105.tif 000010
【図９】
2007085105.tif 000011
【図１０】
2007085105.tif 000012
【図１１】
2007085105.tif 000013
【図１２】
2007085105.tif 000014
【図１３】
2007085105.tif 000015